(57)【要約】【課題】利便性の高い映像表示装置および映像表示方法を提供すること目的とする。【解決手段】本発明の一態様に係る映像表示装置は、デジタル放送信号を受信する受信部と、インターネット上のＷｅｂ情報を取得する取得部と、Ｗｅｂ情報を表示する表示部と、Ｗｅｂ情報を選択する選択指示を受け付ける受付部と、を具備し、表示部は、所定の時間内に選択指示が受け付けられない場合、前記Ｗｅｂ情報の表示を止め、受信部にて受信するチャンネルの番組を表示することを特徴とする。【選択図】図１
2010178392.tif 000002
【特許請求の範囲】
【請求項１】
デジタル放送信号を受信する受信部と、
インターネット上のＷｅｂ情報を取得する取得部と、
前記Ｗｅｂ情報を表示する表示部と、
前記Ｗｅｂ情報を選択する選択指示を受け付ける受付部と、
を具備し、
前記表示部は、所定の時間内に前記選択指示が受け付けられない場合、前記Ｗｅｂ情報の表示を止め、前記受信部にて受信するチャンネルの番組を表示することを特徴とする映像表示装置。
【請求項２】
前記表示部は、前記所定の時間内、前記Ｗｅｂ情報と前記番組を視聴するための情報とを同時に表示することを特徴とする請求項１に記載の映像表示装置。
【請求項３】
前記表示部は、前記所定の時間内に前記選択指示が受け付けられない場合、前回電源をオフした際に選局されていたチャンネルの番組を表示することを特徴とする請求項１に記載の映像表示装置。
【請求項４】
前記表示部は、電源オン時に、前記Ｗｅｂ情報と前記番組を視聴するための情報とを表示することを特徴とする請求項２に記載の映像表示装置。
【請求項５】
前記表示部は、自己に接続されている外部機器に記憶されている情報をさらに表示することを特徴とする請求項１に記載の映像表示装置。
【請求項６】
前記表示部は、前記Ｗｅｂ情報が選択された状態で一定時間が経過した場合、前記選択されたＷｅｂ情報に関連する情報を表示することを特徴とする請求項１に記載の映像表示装置。
【請求項７】
日時を計測するタイマと、
前記日時に対応する複数の背景を記憶している記憶部と、
電源オンされた日時に対応する背景を前記記憶部から取得する背景取得部と、
をさらに具備し、
前記表示部は、前記Ｗｅｂ情報を前記背景取得部が取得した背景に重畳して表示することを特徴とする請求項１に記載の映像表示装置。
【請求項８】
前記表示部は、自己に接続されている家電製品に関する情報をさらに表示することを特徴とする請求項１に記載の映像表示装置。
【請求項９】
デジタル放送信号を受信する受信部と、
電源オンの指示受け付ける受付部と、
インターネット上のＷｅｂ情報を取得する第１の取得部と、
前記受付部が前記電源オンの指示を受け付けると、前記Ｗｅｂ情報を表示する表示部と、
を具備し、
前記受付部は、前記Ｗｅｂ情報を選択する選択指示を受け付け、
前記表示部は、前記選択指示により選択された情報を強調して表示するとともに、所定の時間内に前記選択指示が受け付けられない場合、前回電源をオフした際に選局されていたチャンネルの番組を表示することを特徴とする映像表示装置。
【請求項１０】
前記デジタル放送信号から番組情報を取得する第２の取得部をさらに具備し、
前記受付部は、前記番組情報または前記Ｗｅｂ情報のいずれかを選択する選択指示を受け付けることを特徴とする請求項９に記載の映像表示装置。
【請求項１１】
デジタル放送信号を受信するステップと、
インターネット上のＷｅｂ情報を取得するステップと、
前記Ｗｅｂ情報を表示するステップと、
前記Ｗｅｂ情報を選択する選択指示を受け付けるステップと、
所定の時間内に前記選択指示が受け付けられない場合、前記Ｗｅｂ情報の表示を止め、前記デジタル放送信号から選局されるチャンネルの番組を表示するステップと、
を具備することを特徴とする映像表示方法。
【発明の詳細な説明】
【技術分野】
【０００１】
この発明は、映像表示装置および映像表示方法に関する。
【背景技術】
【０００２】
従来の映像表示装置では、ユーザが映像表示装置を起動（電源オン）すると、ユーザが映像表示装置の電源をオフする直前に視聴していたチャンネル（以下、ラストチャンネルと称する）を選局して表示部に全画面表示していた。
しかしながら、ユーザが常に前回視聴したチャンネルを視聴するとは限らない。そこで、ユーザが映像表示装置を起動した時間帯に応じて、ユーザが該時間帯に習慣的に視聴しているチャンネルを選局して表示部に全画面表示する方法が提案されている（例えば、特許文献１参照）。
【先行技術文献】
【特許文献】
【０００３】
【特許文献１】特開２００１−１８５９９２号公報
【発明の概要】
【発明が解決しようとする課題】
【０００４】
一方、近年の映像表示装置は、インターネット、録画再生装置などとネットワークを介して接続されている。さらに、今後は、映像表示装置に冷蔵庫、エアコンなど他の家電製品がネットワークを介して接続されることが期待される。このため、ユーザが映像表示装置を起動する目的として、インターネットを経由しての動画や音楽などのコンテンツのダウンロード、録画再生装置に記憶されているコンテンツの視聴、冷蔵庫やエアコンなど他の家電製品の操作など多様な目的が考えられる。しかしながら、従来の映像表示装置では、ユーザがＴＶを視聴する以外の目的で映像表示装置を起動した場合にもＴＶの画面が表示されるため利便性が低かった。
【０００５】
上記に鑑み、本発明は、利便性の高い映像表示装置および映像表示方法を提供すること目的とする。
【課題を解決するための手段】
【０００６】
本発明の一態様に係る映像表示装置は、デジタル放送信号を受信する受信部と、インターネット上のＷｅｂ情報を取得する取得部と、Ｗｅｂ情報を表示する表示部と、Ｗｅｂ情報を選択する選択指示を受け付ける受付部と、を具備し、表示部は、所定の時間内に選択指示が受け付けられない場合、前記Ｗｅｂ情報の表示を止め、受信部にて受信するチャンネルの番組を表示することを特徴とする。
【０００７】
本発明の一態様に係る映像表示方法は、デジタル放送信号を受信するステップと、インターネット上のＷｅｂ情報を取得するステップと、Ｗｅｂ情報を表示するステップと、Ｗｅｂ情報を選択する選択指示を受け付けるステップと、所定の時間内に選択指示が受け付けられない場合、前記Ｗｅｂ情報の表示を止め、デジタル放送信号から選局されるチャンネルの番組を表示するステップと、を具備することを特徴とする。
【発明の効果】
【０００８】
本発明によれば、利便性の高い映像表示装置および映像表示方法を提供できる。
【図面の簡単な説明】
【０００９】
【図１】第１の実施形態に係るネットワークシステムの一例を示した図である。
【図２】リモートコントローラの操作ボタンの配置の一例を示した図である。
【図３】映像表示装置の起動後に映像表示器の表示画面の一例を示した図である。
【図４】第１の実施形態に係る映像表示装置の詳細構成の一例を示した図である。
【図５】第１の実施形態に係る制御部の機能ブロック図である。
【図６】第１の実施形態に係る映像表示装置の動作を示したフローチャートである。
【発明を実施するための形態】
【００１０】
以下、図面を参照して、本発明の実施形態を詳細に説明する。
（第１の実施形態）
図１は、第１の実施形態に係る映像表示装置１と、この映像表示装置１を中心として構成されるネットワークシステムの一例を示した図である。図２は、リモートコントローラ１３（以下、リモコン１３と称する）の操作ボタンの配置の一例を示した図である。図３は、映像表示装置１の起動後に映像表示器１１２に表示される画面の一例を示した図である。図４は、第１の実施形態に係る映像表示装置１の詳細構成の一例を示した図である。図５は、第１の実施形態に係る映像表示装置１に機能を示した機能ブロック図である。
【００１１】
以下、図１ないし図５を使用して第１の実施形態に係る映像表示装置１について説明する。なお、この第１の実施形態では、映像表示装置１として、デジタルテレビジョン放送受信装置を想定している。
【００１２】
（全体構成）
映像表示装置１は、薄型のキャビネット１１と、このキャビネット１１を起立させて支持する支持台１２とを具備する。キャビネット１１は、例えばＳＥＤ（Surface-conduction Electron-emitter Display）表示パネル、液晶表示パネルなどの平面型の映像表示器１１２、スピーカ１０６、操作部１２２、リモコン１３から送信される操作情報を受ける受光部１２３などを具備する。
【００１３】
映像表示装置１には、ＳＤ（Secure Digital）メモリカード、ＭＭＣ（Multimedia Card）及びメモリスティックやＵＳＢ（Universal Serial Bus）メモリなどのメモリカード１４（以下、第１のメモリカード１４と称する）が接続される。映像表示装置１は、第１のメモリカード１４にＴＶ番組や写真などのコンテンツを記憶するとともに、第１のメモリカード１４に記憶されているコンテンツの再生や表示を行う。
【００１４】
また、この映像表示装置１には、契約情報などを記録したＩＣ（Integrated Circuit）カード１５（以下、第２のメモリカード１５と称する）が接続される。映像表示装置１は、第２のメモリカード１５に対して契約情報などの読み出しおよび書き込みを行う。
【００１５】
また、この映像表示装置１は、第１のＬＡＮ（Local Area Network）端子６１、第２のＬＡＮ端子６２、ＵＳＢ（Universal Serial Bus）端子６３及びｉ．ＬＩＮＫ端子６４を具備する。第１のＬＡＮ端子６１は、ＬＡＮ対応ＨＤＤ（Hard Disk Drive）専用ポートとして使用される。第１のＬＡＮ端子６１は、接続されたＮＡＳ（Network Attached Storage）であるＬＡＮ対応のＨＤＤ２１に対して、イーサネット（登録商標）により情報の記録再生を行なうために使用される。
【００１６】
映像表示装置１は、ＬＡＮ対応ＨＤＤ専用ポートである第１のＬＡＮ端子６１を具備しているので、他のネットワーク環境やネットワーク使用状況などに影響されることなく、ＨＤＤ２１に対してハイビジョン画質による番組の情報記録を安定して行なうことができる。
【００１７】
第２のＬＡＮ端子６２は、イーサネット（登録商標）を用いた一般的なＬＡＮ対応ポートとして使用される。第２のＬＡＮ端子６２は、ハブ３１を介して、ＬＡＮ対応のＨＤＤ３２、コンテンツサーバ３７、ＨＤＤ内蔵のＤＶＤ（Digital Versatile Disk）レコーダ３４などの機器と接続される。第２のＬＡＮ端子６２は、接続された上記機器と情報伝送を行なうために使用される。
【００１８】
さらに、第２のＬＡＮ端子６２は、ハブ３１に接続されたブロードバンドルータ３５を介してインターネットなどのネットワーク３６に接続される。第２のＬＡＮ端子６２は、このネットワーク３６を介してコンテンツサーバ３７や携帯電話３８などと情報伝送を行なうために使用される。
【００１９】
なお、第２のＬＡＮ端子６２を介して通信されるデジタル情報は、制御系の情報だけである。このため、ＤＶＤレコーダ３４は、映像表示装置１との間でアナログの映像及び音声情報を伝送する専用のアナログ伝送路を具備している。
【００２０】
コンテンツサーバ３７は、家庭内ネットワークにおいてコンテンツのサーバ機器として動作する。コンテンツサーバ３７は、コンテンツのアクセスに必要なＵＲＩ（Uniform Resource Identifier）情報を提供するサービスを備えたＵＰｎＰ（ユニバーサルプラグアンドプレイ）対応機器として構成される。
【００２１】
コンテンツサーバ３７は、コンテンツのサーバ機器として動作するための機能を具備する。コンテンツサーバ３７は、コンテンツのアクセスに必要なＵＲＩ情報を提供するサービスを備えたＵＰｎＰ対応機器として構成される。
【００２２】
ＵＳＢ端子６３は、一般的なＵＳＢ対応ポートとして使用される。例えば、ＵＳＢ端子６３は、ハブ４１を介して、携帯電話４２、デジタルカメラ４３、メモリカードに対するカードリーダ／ライタ４４、ＨＤＤ４５、キーボード４６などのＵＳＢ機器を接続する。そして映像表示装置１は、ＵＳＢ端子６３に接続された上記ＵＳＢ機器と情報伝送を行なう。
【００２３】
ｉ．ＬＩＮＫ端子６４は、例えばＡＶ−ＨＤＤ５１、Ｄ（Digital）−ＶＨＳ（Video Home System）５２などをシリアル接続する。映像表示装置１は、ｉ．ＬＩＮＫ端子６４に接続された上記機器と情報伝送を行なう。
【００２４】
（リモコン）
図２は、リモコン１３が具備する操作ボタンの配列の一例を示した図である。
リモコン１３には、電源ボタン２０１、カラーボタン２０２ａないし２０２ｄ、選局ボタン２０３ａないし２０３ｌ、選択ボタン２０４ａないし２０４ｄおよび決定ボタン２０５などが配置される。
【００２５】
電源ボタン２０１は、映像表示装置１の電源をオン／オフする操作ボタンである。カラーボタン２０２ａないし２０２ｄは、映像表示器１１２に表示される画像の色調を調整する操作ボタンである。
【００２６】
選局ボタン２０３ａないし２０３ｌは、映像表示器１１２に表示される番組のチャンネルを切り替える操作ボタンである。例えば、選局ボタン２０３ａを操作すると、映像表示器１１２に１チャンネルが選局され、選局されたチャンネルの番組が映像表示器１１２に表示される。
【００２７】
選択ボタン２０４ａないし２０４ｄは、映像表示器１１２に表示されているカーソルを移動する操作ボタンである。選択ボタン２０４ａないし２０４ｄを操作することにより、映像表示器１１２に表示されている項目の選択や設定値を変更できる。決定ボタン２０５は、選択ボタン２０４により選択された項目を決定する操作ボタンである。なお、ユーザは、映像表示装置１が具備する操作部１２２にて上記操作を行うことも可能である。
【００２８】
（映像表示器の表示）
図３は、映像表示装置１の起動後に映像表示器１１２に表示される画面（以下、初期画面と称する）の一例を示した図である。映像表示器１１２には、ラストチャンネル表示領域３０１、番組情報表示領域３０２、通信ポータル表示領域３０３、録画ポータル表示領域３０４、お知らせ表示領域３０５、現在時刻３０６および電子番組ガイド（以下、ＥＰＧと称する）へのリンク表示３０７などが背景３０８に重畳して表示される。
【００２９】
なお、映像表示器１１２には、ラストチャンネル表示領域３０１、番組情報表示領域３０２、通信ポータル表示領域３０３、録画ポータル表示領域３０４、お知らせ表示領域３０５が同時に表示される。ここで同時とは、ユーザが視覚的に同時であると感じる程度の意味であり、厳密に同時である必要はない。
【００３０】
なお、図３は、９時２６分に映像表示装置１の電源をオンした際の初期画面を示している。また、以下の説明では、ラストチャンネル表示領域３０１、番組情報表示領域３０２、通信ポータル表示領域３０３、録画ポータル表示領域３０４、お知らせ表示領域３０５をそれぞれ表示領域３０１、表示領域３０２、表示領域３０３、表示領域３０４、表示領域３０５と称する。
【００３１】
表示領域３０１には、ユーザが映像表示装置の電源をオフする直前に視聴していたチャンネル（以下、ラストチャンネルと称する）の番組が表示される。また、表示領域３０１上部に、表示領域３０１に表示されている番組名、放送局名および放送時間が表示される。表示領域３０１が選択された状態で、ユーザが、リモコン１３の決定ボタン２０５を操作するとラストチャンネルが選局される。そして、選局されたチャンネルの番組が映像表示器１１２に全画面表示される。
【００３２】
また、表示領域３０２ａないし３０２ｅに表示されている番組情報に対応する番組を一定時間毎に切り替えて表示領域３０１に表示（ザッピング表示）してもよい。なお、ユーザが映像表示装置１の電源をオンした後、映像表示装置１の操作が一定時間行われない場合、ラストチャンネルが選局される。そして、該チャンネルの映像が映像表示器１１２に全画面表示される。
【００３３】
表示領域３０２は、複数の表示領域３０２ａないし３０２ｅで構成される。各表示領域３０２ａないし３０２ｅには、それぞれ現在放送されている番組情報が表示される。各番組情報として、ＴＶ局名、番組名および放送時間などの情報が表示される。この各表示領域３０２ａないし３０２ｅに表示される番組情報は、映像表示装置１に記憶されているＥＰＧに基づいて表示される。
【００３４】
初めに、ユーザは、リモコン１３の選択ボタン２０４を操作して、表示領域３０２に表示されている各番組情報３０２ａないし３０２ｅのいずれかを選択する。選択された表示領域は、強調表示される。強調表示されている表示領域は、番組情報の文字の色やフォントが変化する。
【００３５】
その後、各番組情報３０２ａないし３０２ｅのいずれかが選択された状態で、ユーザが決定ボタン２０５を操作すると、選択されている番組情報に対応するチャンネルが選局される。そして、選局されたチャンネルの番組が映像表示器１１２に全画面表示される。
【００３６】
なお、表示領域３０２ａないし３０２ｅのいずれかが選択された直後、もしくは一定時間が経過すると、選択している番組情報のより詳細な情報、例えば、番組の出演者等が表示されるように構成してもよい。
【００３７】
また、リモコン１３の選局ボタン２０３と表示領域３０２ａないし３０２ｅとを対応づけておき、ユーザがリモコン１３の選局ボタン２０３を操作すると、対応する表示領域３０２ａないし３０２ｅが選択されるように構成してもよい。
【００３８】
表示領域３０３には、デジタルテレビ向けに情報コンテンツや動画コンテンツを配信するポータルサービスのサイトの情報が表示される。例えば、最新のコンテンツの情報、例えば、コンテンツのタイトル、配信開始日時等が表示領域３０３に表示される。表示領域３０３が選択された状態で、ユーザが決定ボタン２０５を操作すると、ポータルサイトが映像表示器１１２に全画面表示される。なお、ユーザの好みに応じたコンテンツの情報を表示領域３０３に表示してもよい。
【００３９】
表示領域３０４には、ＨＤＤ２１やＤＶＤレコーダ３４に録画されているコンテンツのうち直近に録画されたコンテンツの情報が表示される。表示領域３０４が選択された状態で、ユーザが決定ボタン２０５を操作するとＨＤＤ２１やＤＶＤレコーダ３４に録画されているコンテンツが再生される。
【００４０】
なお、ＨＤＤ２１やＤＶＤレコーダ３４に録画されているコンテンツの情報をユーザの好みに応じて表示領域３０４に表示してもよい。また、コンテンツの情報を一つだけでなく、複数表示するよう構成してもよい。
【００４１】
表示領域３０５には、ユーザがお気に入りとして登録したニュースやブログなど各種のウェブサイトから配信される更新情報を要約した情報（以下、ＲＳＳ（RDF Site Summary）情報と称する）が表示される。表示領域３０５が選択された状態で、ユーザが決定ボタン２０５を操作すると、ＲＳＳ情報を配信したＷｅｂサイトが映像表示器１１２に全画面表示される。
【００４２】
また、リモコン１３の「赤」、「黄」および「赤」のカラーボタン２０２と表示領域３０３ないし３０５とをそれぞれ対応づけておき、ユーザがカラーボタン２０２を操作すると、カーソルが対応する表示領域へ移動するように構成してもよい。
【００４３】
ＥＰＧへのリンク３０７は、ＥＰＧへのリンク情報を表示したものである。ユーザが、リモコン１３の選択ボタン２０４を操作してＥＰＧへのリンク３０７を選択した後、決定ボタン２０５を操作すると一週間分または一日分の番組情報の詳細が映像表示器１１２に全画面表示される。
【００４４】
背景３０８は、映像表示装置１が起動される時間帯、季節、月日などに応じて異なる背景が表示される。例えば、映像表示装置１が起動されたのが夜の時間帯であれば、夜景が背景として表示される。
【００４５】
なお、表示領域３０１ないし３０５のうち、どの表示領域が選択されているのかがユーザに認識できるように、選択されている表示領域が動的に変化する。例えば、表示領域３０３が選択されている場合、表示領域３０３の大きさが変化する。
【００４６】
また、映像表示装置１に機器が接続されていないなど、表示領域３０３ないし３０５に表示する情報を取得できない場合には、情報を取得できなかった表示領域は、映像表示器１１２に表示されない。
【００４７】
なお、表示領域３０１および３０２に表示される情報は、第１の情報を構成する。また、表示領域３０３および３０５に表示される情報は、第２の情報を構成する。
【００４８】
（映像表示装置の構成）
図４は、映像表示装置１の詳細構成の一例を示した図である。
入力端子６５は、ＢＳ／ＣＳデジタル放送受信用のアンテナ７１で受信した衛星デジタルテレビジョン放送信号（以下、第１の放送信号と称する）を衛星デジタル放送用のチューナ１０１に供給する。
【００４９】
チューナ１０１は、制御部１１５からの制御信号に応じて、アンテナ７１から供給される第１の放送信号から所望のチャンネルを選局する。チューナ１０１は、選局した第１の放送信号をＰＳＫ（Phase Shift Keying）復調器１０２に出力する。
【００５０】
ＰＳＫ復調器１０２は、制御部１１５からの制御信号に応じて、チューナ１０１で選局された第１の放送信号を復調する。ＰＳＫ復調器１０２は、復調した第１の放送信号から所望の番組を含んだトランスポートストリーム（以下、ＴＳと称する）を得て、ＴＳ復号器１０３に出力する。
【００５１】
ＴＳ復号器１０３は、制御部１１５からの制御信号に応じて、ＴＳ多重化された信号を復号する。ＴＳ復号器１０３は、所望の番組のデジタル映像信号及び音声信号をデパケットする。そして、ＴＳ復号器１０３は、デパケットにより得たＰＥＳ（Packetized Elementary Stream）を信号処理部１０４が具備するＳＴＤバッファ１０４ａへ出力する。
【００５２】
さらに、ＴＳ復号器１０３は、デジタル放送で送信されるセクション情報を信号処理部１０４が具備するセクション処理部１０４ｂへ出力する。
【００５３】
入力端子６６は、地上波放送受信用のアンテナ７１で受信した地上デジタルテレビジョン放送信号（以下、第２の放送信号と称する）を地上デジタル放送用のチューナ１０７に供給する。
【００５４】
チューナ１０７は、制御部１１５からの制御信号に応じて、アンテナ７２から供給される第２の放送信号から所望のチャンネルを選局する。チューナ１０７は、選局した第２の放送信号をＯＦＤＭ（Orthogonal Frequency Division Multiplexing）復調器１０８に出力する。
【００５５】
ＯＦＤＭ復調器１０８は、制御部１１５からの制御信号に応じて、チューナ１０７で選局した放送信号を復調する。ＯＦＤＭ復調器１０８は、復調した第２の放送信号から所望の番組を含んだトランスポートストリーム（以下、ＴＳと称する）を得て、ＴＳ復号器１０９に出力する。
【００５６】
ＴＳ復号器１０９は、制御部１１５からの制御信号に応じて、ＴＳ多重化された信号を復号する。ＴＳ復号器１０９は、所望の番組のデジタル映像信号及び音声信号をデパケットする。そして、ＴＳ復号器１０３は、デパケットにより得たＰＥＳ（Packetized Elementary Stream）を信号処理部１０４が具備するＳＴＤバッファ１０４ａへ出力する。
【００５７】
さらに、ＴＳ復号器１０９は、デジタル放送で送信されるセクション情報を信号処理部１０４が具備するセクション処理部１０４ｂへ出力する。
【００５８】
ここで、信号処理部１０４は、テレビ視聴時には、ＴＳ復号器１０３およびＴＳ復号器１０９からそれぞれ供給されるデジタル映像信号及び音声信号に対して、選択的に所定のデジタル信号処理を施す。そして、信号処理部１０４は、デジタル信号処理を施した信号をグラフィック処理部１１０及び音声処理部１０５に出力する。
【００５９】
また、信号処理部１０４は、コンテンツ再生時には、制御部１１５から入力されたコンテンツの再生信号を選択して所定のデジタル信号処理を施す。そして、信号処理部１０４は、デジタル信号処理を施した信号をグラフィック処理部１１０及び音声処理部１０５に出力している。
【００６０】
信号処理部１０４が具備するセクション処理部１０４ｂは、ＴＳ復号器１０３およびＴＳ復号器１０９から入力されるセクション情報から、番組を取得するための各種データ、電子番組ガイド（ＥＰＧ）情報、番組属性情報（番組ジャンルなど）および字幕情報など（サービス情報、ＳＩやＰＳＩ）などを取得して制御部１１５へ出力する。
【００６１】
制御部１１５は、信号処理部１０４から入力される情報からＥＰＧ、字幕を表示するため映像生成処理を行う。そして、制御部１１５は、この生成した映像情報をグラフィック処理部１１０へ出力する。なお、信号処理部１０４から入力されるＥＰＧ情報は、不揮発性メモリ１１５ｄに記憶される。
【００６２】
グラフィック処理部１１０は、信号処理部１０４内のＡＶデコーダ１０４ｃから供給されるデジタルの映像信号と、ＯＳＤ（On Screen Display）信号生成部１１３で生成されるＯＳＤ信号と、データ放送による映像データと、制御部１１５により生成されたＥＰＧ、字幕信号とを合成して映像処理部１１１へ出力する機能を有する。
【００６３】
また、グラフィック処理部１１０は、字幕放送による字幕を表示する際、制御部１１５からの字幕情報に基づき映像信号上に字幕情報を重畳する処理を行う。
【００６４】
グラフィック処理部１１０から出力されたデジタル映像信号は、映像処理部１１１に供給される。映像処理部１１１は、入力されたデジタル映像信号を、映像表示器１１２で表示可能なフォーマットのアナログ映像信号に変換する。そして、映像処理部１１１は、アナログ映像信号を映像表示器１１２に出力する。また、映像処理部１１１は、アナログ映像信号を、出力端子６８を介して外部に導出する。
【００６５】
また、音声処理部１０５は、入力されたデジタル音声信号をスピーカ１０６で再生可能なフォーマットのアナログ音声信号に変換する。そして、音声処理部１０５は、アナログ音声信号をスピーカ１０６に出力する。また、音声処理部１０５は、アナログ音声信号を、出力端子６７を介して外部に導出する。時計１１４は、現在時刻を計測する。
【００６６】
制御部１１５は、映像表示装置１の受信動作を含む全ての動作を統括的に制御する。制御部１１５は、ＣＰＵ（Central Processing Unit）１１５ａ、該ＣＰＵ１１５ａが実行する制御プログラムを格納したＲＯＭ（Read Only Memory）１１５ｂ、該ＣＰＵに作業エリアを提供するＲＡＭ（Random Access Memory）１１５ｃ、各種の設定情報及び制御情報などが格納される不揮発性メモリ１１５ｄなどを具備する。
【００６７】
制御部１１５は、操作部１２２からの操作情報を受信する。また制御部１１５は、リモコン１３から送信される操作情報を、受光部１２３を介して受信する。そして制御部１１５は、受信した操作情報に応じて映像表示装置１が具備する各部を制御する。
【００６８】
制御部１１５は、カードＩ／Ｆ（Interface）１１６を介してカードホルダ１２４に接続される。カードホルダ１２４には、第１のメモリカード１を装着される。制御部１１５は、カードホルダ１２４に装着された第１のメモリカード１４と、カードＩ／Ｆ１１６を介して情報伝送する。
【００６９】
制御部１１５は、カードＩ／Ｆ１１７を介してカードホルダ１２５に接続される。カードホルダ１２５には、第２のメモリカード１５が装着される。制御部１１５は、カードホルダ１２５に装着された第２のメモリカード１５と、カードＩ／Ｆ１１７を介して情報伝送する。
【００７０】
制御部１１５は、通信Ｉ／Ｆ１１８を介して第１のＬＡＮ端子６１に接続される。制御部１１５は、第１のＬＡＮ端子６１に接続されたＨＤＤ２１と、通信Ｉ／Ｆ１１８を介して情報伝送する。この場合、制御部１１５は、ＤＨＣＰ（Dynamic Host Configuration Protocol）サーバ機能を有し、第１のＬＡＮ端子６１に接続されたＨＤＤ２１にＩＰ（Internet Protocol）アドレスを割り当てて制御する。
【００７１】
制御部１１５は、通信Ｉ／Ｆ１１９を介して第２のＬＡＮ端子６２に接続される。制御部１１５は、第２のＬＡＮ端子６２に接続された各機器と、通信Ｉ／Ｆ１１９を介して情報を伝送する。
【００７２】
制御部１１５は、ＵＳＢ  Ｉ／Ｆ１２０を介してＵＳＢ端子６３に接続される。制御部１１５は、ＵＳＢ端子６３に接続された各機器と、ＵＳＢ  Ｉ／Ｆ１２０を介して情報を伝送する。
【００７３】
制御部１１５は、ｉ．ＬＩＮＫ  Ｉ／Ｆ１２１を介してｉ．ＬＩＮＫ端子６４に接続される。制御部１１５は、ｉ．ＬＩＮＫ端子６４に接続された各機器と、ｉ．ＬＩＮＫ  Ｉ／Ｆ１２１を介して情報を伝送する。
【００７４】
不揮発性メモリ１１５ｃには、信号処理部１０４から入力されるＥＰＧ情報が記憶されている。また、不揮発性メモリ１１５ｃには、ユーザが前回視聴したラストチャンネルが記憶されている。このラストチャンネル情報は、ユーザが映像表示装置１の電源をオフする毎に更新される。また、不揮発性メモリ１１５ｃには、映像表示器１１２の背景として表示される複数の背景画像が日時、季節または時間帯ごとに対応づけて記憶されている。
【００７５】
さらに、不揮発性メモリ１１５ｃには、ユーザがお気に入りとして登録したＷｅｂサイトのＵＲＬ（Uniform Resource Locator）を記憶している。また、不揮発性メモリ１１５ｃには、図３で説明した表示領域３０１ないし３０５に表示される情報の取得先が記憶されている。なお、この背景画像の情報を制御部１１５の外部にあるメモリ（以下、外部メモリと称する）、例えば、第１のメモリカード１４やＨＤＤ２１等に記憶しておいてもよい。
なお、不揮発性メモリ１１５ｃまたは外部メモリは、第１、第２の記憶部を構成する。
【００７６】
図５は、第１の実施形態に係る映像表示装置１の制御部１１５が備える機能を示した機能ブロック図である。図５には、第１の実施形態に係る映像表示装置１の主要な機能のみを示している。図５に示されている機能は、制御部１１５が具備するＣＰＵ１１５ａがＲＯＭ１１５ｂに格納されている制御プログラムを読み込んで実行することにより実現される。
【００７７】
背景取得部４０１は、時計１１４から現在時刻を所定の時間間隔で取得する。背景取得部４０１は、時計１１４から取得した現在時刻に対応する背景画像を不揮発性メモリ１１５ｃまたは外部メモリから取得する。
【００７８】
ＥＰＧ情報取得部４０２、ラストチャンネル情報取得部４０３、第１のコンテンツ情報取得部４０４、第２のコンテンツ情報取得部４０５は、不揮発性メモリ１１５ｃに記憶されている情報の取得先に基づいて、それぞれ表示領域３０１ないし３０５に表示する情報を取得する。
【００７９】
ＥＰＧ情報取得部４０２は、表示領域３０２を表示するためのＥＰＧ情報を不揮発性メモリ１１５ｃまたは外部メモリから取得する。ラストチャンネル情報取得部４０３は、表示領域３０１を表示するためのラストチャンネル情報を不揮発性メモリ１１５ｃまたは外部メモリから取得する。
【００８０】
第１のコンテンツ情報取得部４０４は、表示領域３０３を表示するためのコンテンツ情報を通信  Ｉ/Ｆ１１９を介して取得する。第２のコンテンツ情報取得部４０５は、表示領域３０４を表示するためのコンテンツ情報をカード  Ｉ/Ｆ１１６または通信  Ｉ/Ｆ１１８を介して取得する。更新情報取得部４０６は、表示領域３０５を表示するための情報、すなわち、ユーザがお気に入りとして登録したＷｅｂサイトから配信される更新情報を通信  Ｉ/Ｆ１１９を介して取得する。
【００８１】
画像表示部４０７は、操作受付部４０８が電源オンの操作を受け付けると、図３で説明した表示領域３０１、表示領域３０２、表示領域３０３、表示領域３０４、表示領域３０５、現在時刻３０６およびＥＰＧへのリンク表示３０７を背景取得部４０１が取得した背景画像に重畳した画像信号を生成する。また、画像表示部４０７は、ユーザにより選択されている表示領域を強調表示する。
【００８２】
なお、画像表示部４０７で生成された画像信号は、ＯＳＤ信号生成部１１３でＯＳＤ信号に変換され、映像処理部１１１でアナログ映像信号に変換された後、映像表示器１１２へ入力される。その結果、図３に示した画面が映像表示器１１２に表示される。
【００８３】
操作受付部４０８は、操作部１２２または受光部１２３で受信したユーザによる表示領域 ３０１ないし３０５の選択操作および決定操作を受け付ける。選択画像判定部４０９は、映像表示器１１２に表示されている表示領域３０１ないし３０５のうち、どの表示領域が選択されているかを判定する。
【００８４】
選択画像判定部４０９は、表示領域３０１が選択された状態で一定時間が経過した場合または操作受付部４０８で決定操作を受け付けると、ラストチャンネルを選局するようチューナ１０１または１０７へ指示する。チューナ１０１または１０７は、ラストチャンネルを選局する。その結果、映像表示器１１２にチューナ１０１または１０７で選局されたチャンネルの番組が表示される。
【００８５】
選択画像判定部４０９は、表示領域３０２ａないし３０２ｅのいずれかが選択された状態で一定時間が経過した場合または操作受付部４０８で決定操作を受け付けると、選択されている表示領域に対応するチャンネルを選局するようチューナ１０１または１０７へ指示する。チューナ１０１または１０７では、表示領域に対応するチャンネルが選局される。その結果、映像表示器１１２にチューナ１０１または１０７で選局されたチャンネルの番組が表示される。
【００８６】
選択画像判定部４０９は、表示領域３０３が選択された状態で一定時間が経過した場合または操作受付部４０８で決定操作を受け付けると、画像表示部４０７へポータルサービスのサイトを表示するように指示する。画像表示部４０７は、選択画像判定部４０９の指示に応じて該ポータルサービスのサイトを映像表示器１１２に全画面表示する。
【００８７】
選択画像判定部４０９は、表示領域３０４が選択された状態で一定時間が経過した場合または操作受付部４０８で決定操作を受け付けると、表示領域３０４に表示されているコンテンツの情報に対応するコンテンツの再生を再生部４１０へ指示する。再生部４１０は、選択画像判定部４０９からの指示に応じてコンテンツを再生する。
【００８８】
選択画像判定部４０９は、表示領域３０５が選択された状態で一定時間が経過した場合または操作受付部４０８で決定操作を受け付けると、表示領域３０５に表示されているＲＳＳ情報を配信したＷｅｂサイトを表示するよう画像表示部４０７へ指示する。画像表示部４０７は、選択画像判定部４０９の指示に応じてＲＳＳ情報を配信したＷｅｂサイトを映像表示器１１２に全画面表示する。
【００８９】
なお、画像表示部４０７は、表示部を構成する。ＥＰＧ情報取得部４０２、ラストチャンネル情報取得部４０３、第１のコンテンツ情報取得部４０４、第２のコンテンツ情報取得部４０５は、情報取得部を構成する。
【００９０】
次に第１の実施形態に係る映像表示装置１の動作について説明する。
図６は、この第１の実施形態に係る映像表示装置１の動作の一例を示したフローチャートである。
【００９１】
操作受付部４０８が電源オンの操作を受け付けると、画像表示部４０７は、表示領域３０１、表示領域３０２、表示領域３０３、表示領域３０４、表示領域３０５、現在時刻３０６およびＥＰＧへのリンク表示３０７を背景画像に重畳した画像信号を生成し、図３に示す初期画面を映像表示器１１２へ表示する（ステップＳ１０１）。
【００９２】
次に、表示切換部４０９は、電源オンの操作を受け付けた時刻から、一定時間が経過しているかどうかを判定する（ステップＳ１０２）。一定時間が経過している場合（Ｓ１０２のＹｅｓ）、選択画像判定部４０９は、ラストチャンネルの選局を指示し、ラストチャンネルの番組を映像表示器１１２に表示する（ステップＳ１０７）。
【００９３】
一定時間が経過していない場合（Ｓ１０２のＮｏ）、選択画像判定部４０９は、表示領域３０１ないし３０５のうち、どの表示領域が選択されているかを判定する（ステップＳ１０３）。画像表示部４０７は、選択されている表示領域を強調表示する。次に、選択画像判定部４０９は、表示領域３０１ないし３０５のいずれかが選択された状態で、操作受付部４０８が決定操作を受け付けたかどうかを判定する（ステップＳ１０４）。
【００９４】
操作受付部４０８が決定操作を受け付けていない場合（Ｓ１０４のＮｏ）、選択画像判定部４０９は、表示領域が選択された状態で一定時間が経過したかどうか判定する（ステップＳ１０５）。一定時間が経過していない場合（Ｓ１０５のＮｏ）、操作受付部４０８は、Ｓ１０２の動作に戻る。
【００９５】
操作受付部４０８が決定操作を受け付けた場合（Ｓ１０４のＹｓｅ）、または一定時間が経過している場合（Ｓ１０５のＹｅｓ）、選択された表示領域に対応する映像が映像表示器１１２に表示される（ステップＳ１０６）。
【００９６】
すなわち、表示領域３０１が選択されていた場合、ラストチャンネルの番組が表示される。表示領域３０２が選択されていた場合、選択されている番組情報に対応するチャンネルの番組が表示される。表示領域３０３が選択されていた場合、ポータルサービスのサイトが表示される。表示領域３０４が選択されていた場合、ＨＤＤ２１やＤＶＤレコーダ３４に録画されているコンテンツが再生される。表示領域３０５が選択されていた場合、ＲＳＳ情報を配信したＷｅｂサイトが表示される。
【００９７】
以上のように、第１の実施形態に係る映像表示装置１は、起動後に図３に示した表示領域３０１ないし表示領域３０５を映像表示器１１２に表示する。そして、ユーザが表示領域３０１ないし表示領域３０５を選択すると、対応する画面が映像表示器１１２に全画面表示される。このため、インターネットを経由しての動画や音楽などのコンテンツのダウンロード、録画再生装置に記憶されているコンテンツの視聴などユーザの多様な目的に対応することができる。このため、使い勝手（利便性）がよい。
【００９８】
また、リモコン１３の選局ボタン２０３と表示領域３０２ａないし３０２ｅとを対応づけておき、ユーザがリモコン１３の選局ボタン２０３を操作すると、対応する表示領域３０２ａないし３０２ｅが選択される。また、リモコン１３の「赤」、「黄」および「赤」のカラーボタン２０２と表示領域３０３ないし３０５とをそれぞれ対応づけておき、ユーザがカラーボタン２０２を操作すると、カーソルが対応する表示領域へ移動するように構成している。このため、操作性がよい。
【００９９】
また、映像表示装置１が起動される日時、季節または時間帯ごとに異なる背景が表示される。このため、ユーザが季節感や時間帯を認識できる。その結果、ユーザが日時、季節または時間帯に合わせて視聴するコンテンツや番組を選択できる。
【０１００】
なお、冷蔵庫やエアコンなどの他の家電を、ネットワークを介して映像表示装置１に接続し、この接続された家電製品の情報を映像表示装置１の初期画面に表示してもよい。この家電製品の情報として、例えば、温度や使用電力量などを表示することが考えられる。また、この家電製品を映像表示装置１から操作できるよう構成してもよい。
【符号の説明】
【０１０１】
１…映像表示装置、１１…キャビネット、１２…支持台、１３…リモコン、１４…第１のメモリカード、１５…第２のメモリカード、２１，３２，４５…ＨＤＤ、３１，４１…ハブ、３３，３７…コンテンツサーバ、３４…ＤＶＤレコーダ、３５…ブロードバンドルータ、３６…ネットワーク、３８，４２…携帯電話、４３…デジタルカメラ、４４…カードリーダ／ライタ、４６…キーボード、５１…ＡＶ−ＨＤＤ、５２…Ｄ−ＶＨＳ、６１…第１のＬＡＮ端子、６２…第２のＬＡＮ端子、６３…ＵＳＢ端子、６４…ｉ．ＬＩＮＫ端子、６５…入力端子、６７…出力端子、６８…出力端子、７１，７２…アンテナ、１０１，１０７…チューナ、１０２…ＰＳＫ復調器、１０３，１０９…ＴＳ復号器、１０４…信号処理部、１０５…音声処理部、１０６…スピーカ、１０８…ＯＦＤＭ復調器、１１０…グラフィック処理部、１１１…映像処理部、１１２…映像表示器、１１３…ＯＳＤ信号生成部、１１４…時計、１１５…制御部、１１６ないし１２１…Ｉ／Ｆ、１２２…操作部、１２３…受光部、１２４，１２５…カードホルダ、２０１…電源ボタン、２０２…カラーボタン、２０３…選局ボタン、２０４…選択ボタン、２０５…決定ボタン、３０１ないし３０５…表示領域、３０６…現在時刻、３０７…リンク表示、４０１…背景取得部、４０２…ＥＰＧ情報取得部、４０３…ラストチャンネル情報取得部、４０４…第１のコンテンツ情報取得部、４０５…第２のコンテンツ情報取得部、４０６…更新情報取得部、４０７…画像表示部、４０８…操作受付部、４０９…選択画像判定部、４１０…再生部。
【図１】
2010178392.tif 000003
【図２】
2010178392.tif 000004
【図３】
2010178392.tif 000005
【図４】
2010178392.tif 000006
【図５】
2010178392.tif 000007
【図６】
2010178392.tif 000008